(57)【要約】  照明光調整システムは、利用者の色覚特性を記録する色覚特性記録部と、色覚特性記録部に記録されている色覚特性に基づいて、照明光の波長特性を変更する波長特性変更部と、を備える。
2019244431.tif 000002
【特許請求の範囲】
【請求項１】
利用者の色覚特性を記録する色覚特性記録部と、
前記色覚特性記録部に記録されている前記色覚特性に基づいて、照明光の波長特性を変更する波長特性変更部と、
を備える照明光調整システム。
【請求項２】
前記利用者を特定する利用者特定手段と、
前記利用者特定手段によって特定された利用者の色覚特性を前記色覚特性記録部から抽出する色覚特性抽出部と、
を更に備え、
前記波長特性変更部は、前記色覚特性抽出部によって抽出された色覚特性に基づいて、前記照明光の波長特性を変更する、
請求項１に記載の照明光調整システム。
【請求項３】
前記利用者を識別する識別情報を記録し、前記利用者特定手段と通信可能な携帯端末機器を備え、
前記利用者特定手段は、前記携帯端末機器から受信した前記識別情報に基づいて、前記利用者を特定する、
請求項２に記載の照明光調整システム。
【請求項４】
前記利用者特定手段は、
前記利用者を撮影して撮影画像を生成する撮影部と、
前記撮影画像内の前記利用者の顔を認識して、該利用者を特定する顔認識部と、
を有する、
請求項２に記載の照明光調整システム。
【請求項５】
前記利用者による情報の入力を受け付ける情報入力部と、
を更に備え、
前記利用者特定手段は、前記情報入力部に入力された情報に基づいて、前記利用者を特定する、
請求項２に記載の照明光調整システム。
【請求項６】
前記色覚特性記録部は、前記色覚特性として、前記利用者の色覚異常の種類と度合いを示す情報を記録する、
請求項１から請求項５の何れか一項に記載の照明光調整システム。
【請求項７】
前記色覚特性記録部は、前記色覚特性として、前記利用者の特定の色の光に対する視覚感度を記録する、
請求項１から請求項５の何れか一項に記載の照明光調整システム。
【請求項８】
前記波長特性変更部は、前記色覚特性に基づいて、前記照明光のうち、前記特定の色の光の強度を変更する、
請求項７に記載の照明光調整システム。
【請求項９】
前記色覚特性記録部は、前記色覚特性として、前記利用者の互いに異なる複数の色の光に対する視覚感度の比又は差を記録する、
請求項１から請求項５の何れか一項に記載の照明光調整システム。
【請求項１０】
前記波長特性変更部は、前記色覚特性に基づいて、前記照明光のうち、前記複数の色の少なくとも一つの色の光の強度を変更する、
請求項９に記載の照明光調整システム。
【請求項１１】
前記波長特性変更部は、
透過する光又は反射する光の波長特性を変更可能な光学フィルタ部と、
前記色覚特性に基づいて前記光学フィルタ部の動作を制御する制御部と、
を有する、
請求項１から請求項１０の何れか一項に記載の照明光調整システム。
【請求項１２】
前記波長特性変更部は、照明光を放射する光源部を有する、
請求項１から請求項１１の何れか一項に記載の照明光調整システム。
【請求項１３】
前記光源部は、互いに発光波長の異なる複数の光源を有し、
前記波長特性変更部は、前記複数の光源を個別に制御することによって前記照明光の波長特性を変更する、
請求項１２に記載の照明光調整システム。
【請求項１４】
利用者の色覚特性を記録する工程と、
前記記録された色覚特性に基づいて、照明光の波長特性を変更する工程と、
を含む照明光調整方法。
【請求項１５】
前記利用者を特定する工程と、
前記特定された利用者の色覚特性を抽出する工程と、
を含み、
前記抽出された色覚特性に基づいて、前記照明光の波長特性を変更する、
請求項１４に記載の照明光調整方法。
【請求項１６】
前記利用者を識別する識別情報を記録した携帯端末機器と通信を確立する工程を含み、
前記携帯端末機器から受信した前記識別情報に基づいて、前記利用者を特定する、
請求項１５に記載の照明光調整方法。
【請求項１７】
前記利用者を撮影して撮影画像を生成する工程と、
前記撮影画像内の前記利用者の顔を認識して、該利用者を特定する工程と、
を含む、
請求項１５に記載の照明光調整方法。
【請求項１８】
前記利用者による情報の入力を受け付ける工程を含み、
前記入力された情報に基づいて、前記利用者を特定する、
請求項１５に記載の照明光調整方法。
【請求項１９】
前記色覚特性として、前記利用者の色覚異常の種類と度合いを示す情報を記録する工程を含む、
請求項１４から請求項１８の何れか一項に記載の照明光調整方法。
【請求項２０】
前記色覚特性として、前記利用者の特定の色の光に対する視覚感度を記録する工程を含む、
請求項１４から請求項１８の何れか一項に記載の照明光調整方法。
【請求項２１】
前記色覚特性に基づいて、前記照明光のうち、前記特定の色の光の強度を変更する工程を含む、
請求項２０に記載の照明光調整方法。
【請求項２２】
前記色覚特性として、前記利用者の互いに異なる複数の色の光に対する視覚感度の比又は差を記録する工程を含む、
請求項１４から請求項１８の何れか一項に記載の照明光調整方法。
【請求項２３】
前記色覚特性に基づいて、前記照明光のうち、前記複数の色の少なくとも一つの色の光の強度を変更する工程を含む、
請求項２２に記載の照明光調整方法。
【請求項２４】
前記色覚特性に基づいて、透過する光又は反射する光の波長特性を変更可能な光学フィルタ部の動作を制御する工程を含む、
請求項１４から請求項２３の何れか一項に記載の照明光調整方法。
【請求項２５】
互いに発光波長の異なる複数の光源を個別に制御することによって前記照明光の波長特性を変更する工程を含む、
請求項１４から請求項２４の何れか一項に記載の照明光調整方法。
【請求項２６】
請求項１４から２５の何れか一項に記載の照明光調整方法をコンピュータに実行させるための照明光調整プログラム。
【発明の詳細な説明】
【技術分野】
【０００１】
本発明は、照明光調整システム、照明光調整方法、及び、照明光調整プログラムに関する。
【背景技術】
【０００２】
人の視覚に関する障害として、色覚異常が知られている。色覚異常には、例えば、特定の波長帯域の光に対する感度が低い色盲や色弱、光をまぶしく感じる光過敏症が含まれる。これらの色覚異常は、患者の網膜上の３つの錐体細胞（Ｓ錐体細胞、Ｍ錐体細胞、Ｌ錐体細胞）の感度が、健常者と比較して高い又は低いことによって発生する。Ｓ錐体細胞、Ｍ錐体細胞、Ｌ錐体細胞はそれぞれ、青色、緑色、赤色の光に対して反応する細胞である。色覚異常を矯正する方法として、光の透過特性が患者に合わせて調整された光学素子（カラーレンズ）を使用する方法が知られている。患者は、特性が調整されたカラーレンズを有する眼鏡をかけることにより、色覚異常を矯正することができる。また、屋内に照明光の波長特性を変更可能な照明装置を設置し、利用者が自分の色覚特性や好みに応じて照明光の波長特性を変更することにより、利用者に適した照明環境を得ることができる。【０００３】
照明光の波長特性を変更可能な照明システムとして、例えば、特開２０１０−２６２８０６号公報（以下、「特許文献１」と記す。）に記載の照明システムがある。特許文献１に記載の照明システムは、駆動電流に応じて輝度を変更可能な光源と、駆動電圧に応じて透過光の波長を変更可能な光学素子を備えている。利用者は、駆動電流と駆動電圧を変更することにより、光源から放射され、光学素子を透過した照明光の明るさや波長特性を、好みに応じて変更可能である。
【発明の概要】
【０００４】
特許文献１に記載の照明システムでは、照明光の波長特性を変更するために、利用者が、光源の駆動電流と光学素子の駆動電圧を任意に指定している。そのため、利用者が色盲や色弱を有している場合、この利用者の好みの照明光の波長特性と、色覚特性に適した照明光の波長特性とが一致していない可能性がある。この場合、任意に指定された照明光の波長特性が利用者の視覚特性に適したものになっておらず、利用者が色の違いを認識できなくなる可能性がある。また、特許文献１に記載の照明システムでは、利用者が手動で波長特性を変更するため、照明光の波長特性を変更可能な環境が複数ある場合、例えば、リビング、寝室、ダイニングなどの照明光や、テレビやパソコンのモニタ等の波長特性が変更可能である場合、全ての照明光の波長特性を一致させることが難しかった。
【０００５】
本発明は上記の事情に鑑みてなされたものであり、その目的とするところは、利用者の視覚特性に適した照明環境が得られる照明光調整システム、照明光調整方法、及び、照明光調整プログラムを提供することである。
【課題を解決するための手段】
【０００６】
本発明の一実施形態に係る照明光調整システムは、利用者の色覚特性を記録する色覚特性記録部と、色覚特性記録部に記録されている色覚特性に基づいて、照明光の波長特性を変更する波長特性変更部と、を備える。【０００７】
本発明の一実施形態に係る照明光調整方法は、利用者の色覚特性を記録する工程と、前記記録された色覚特性に基づいて、照明光の波長特性を変更する工程と、を含む。【０００８】
本発明の一実施形態に係る照明光調整プログラムは、利用者の色覚特性を記録する工程と、記録された色覚特性に基づいて、照明光の波長特性を変更する工程と、を含む方法をコンピュータに実行させる。
【発明の効果】
【０００９】
本発明の実施形態によれば、利用者の視覚特性に適した照明環境が得られる照明光調整システム、照明光調整方法、及び、照明光調整プログラムが提供される。
【図面の簡単な説明】
【００１０】
【図１】図１は、本発明の第１実施形態に係る照明光調整システムの概略図である。
【図２】図２は、本発明の第１実施形態に係る色覚特性の測定方法のフローチャートである。
【図３】図３は、本発明の第１実施形態に係る利用者の青色の光に対する色覚の検査方法のフローチャートである。
【図４】図４は、本発明の第１実施形態に係る比較画像を示す図である。
【図５】図５は、本発明の第１実施形態に係る利用者の赤色及び緑色の光に対する色覚の検査方法のフローチャートである。
【図６】図６は、本発明の第１実施形態に係る検査画像を示す図である。
【図７】図７は、本発明の第１実施形態に係る検査画像の赤色成分の変更範囲を示す図である。
【図８】図８は、本発明の第１実施形態に係る検査画像を示す図である。
【図９】図９は、本発明の第１実施形態に係る検査画像の緑色成分の変更範囲を示す図である。
【図１０】図１０は、本発明の第１実施形態の変形例に係る照明光調整システムの概略図である。
【図１１】図１１は、本発明の第２実施形態に係る照明光調整システムの概略図である。
【図１２】図１２は、本発明の第３実施形態に係る照明光調整システムの概略図である。
【図１３】図１３は、本発明の第４実施形態に係る照明光調整システムの概略図である。
【図１４】図１４は、本発明の第４実施形態に係る照明装置の外観図及び可変フィルタユニットの概略図である。
【発明を実施するための形態】
【００１１】
以下、本発明の実施形態について図面を参照しながら説明する。
【００１２】
[第１実施形態]
図１は、本発明の第１実施形態における照明光調整システム１の概略図を示す。照明光調整システム１は、情報処理装置１００、携帯端末装置２００、照明装置３００を備える。
【００１３】
情報処理装置１００は、例えば、パソコンやサーバ等の汎用の情報処理装置、或いは、照明光調整システム１のための専用の装置である。情報処理装置１００は、ＣＰＵ（Central Processing Unit）１０１、ＲＡＭ（Random Access Memory）１０２、ＲＯＭ１０３（Read Only Memory）、プログラム１０４、ストレージ１０５、第１通信インタフェース１０６及び第２通信インタフェース１０７を備えている。ＣＰＵ１０１は、ＲＯＭ１０３に記憶されるプログラム１０４を実行する。ＲＡＭ１０２は、ＣＰＵ１０１がプログラム１０４を実行する際に、一時的なデータの記憶領域として使用される。プログラム１０４は、情報処理装置１００を制御するためのアプリケーションや、ＯＳ（Operating System）等を含んでいる。ストレージ１０５は、後述するスペクトル情報などの様々なデータを保存する。ストレージ１０５は、例えば、ＨＤＤ（Hard Disk Drive）やＳＳＤ（Solid State Drive）、或いは、情報処理装置１００に着脱可能な可搬記録媒体である。第１通信インタフェース１０６は、携帯端末装置２００との無線又は有線による通信に使用される。第２通信インタフェース１０７は、照明装置３００との無線又は有線による通信に使用される。なお、情報処理装置１００は、一つの通信インタフェースを使用して、携帯端末装置２００と照明装置３００の両方との通信を行ってもよい。
【００１４】
携帯端末装置２００は、例えば、スマートフォン、タブレット端末、ノート型パソコンなどの利用者が携帯可能な端末装置である。携帯端末装置２００は、ＣＰＵ２０１、ＲＡＭ２０２、ＲＯＭ２０３、プログラム２０４、ストレージ２０５、ディスプレイ２０６、ユーザインタフェース２０７及び通信インタフェース２０８を備えている。ＣＰＵ２０１は、ＲＯＭ２０３に記憶されるプログラム２０４を実行する。ＲＡＭ２０２は、ＣＰＵ２０１がプログラム２０４を実行する際に、一時的なデータの記憶領域として使用される。プログラム２０４は、携帯端末機器２００を制御するためのアプリケーションや、ＯＳ（Operating System）等を含んでいる。ストレージ２０５は、後述する色覚情報などの様々なデータを保存する。ストレージ２０５は、例えば、ＨＤＤやＳＳＤ、或いは、携帯端末装置２００に着脱可能な可搬記録媒体である。ディスプレイ２０６は、実行されたプログラム２０４に応じた各種情報を表示する。ユーザインタフェース２０７は、利用者からの入力操作を受け付ける。通信インタフェース２０８は、情報処理装置１００との無線又は有線による通信に使用される。
【００１５】
携帯端末装置２００のストレージ２０５には、携帯端末装置２００の利用者の色覚特性を示す色覚情報が記録されている。色覚特性は、携帯端末装置２００或いは他の測定機器を用いて測定されたものである。色覚情報は、例えば、色盲や色弱、アーレンシンドロームなどの色覚異常の種類とその度合いを示す情報である。具体的には、色覚情報は、特定の色の光に対する視覚感度を示す情報、又は、互いに異なる複数の色の光に対する視覚感度の比又は差を示す情報である。なお、ストレージ２０５に記録されている色覚情報は、これらの全ての情報を含んでいる必要はなく、これらの情報のうちの少なくとも一つを含んでいればよい。
【００１６】
照明装置３００は、例えば、照明器具、液晶ディスプレイ又はＣＲＴ（Cathode Ray Tube）ディスプレイなど表示装置、或いは、投射型の表示装置である。照明装置３００は、コントローラ３０１、光源ユニット３０２、スペクトル調整ユニット３０３及び通信インタフェース３０４を備えている。光源ユニット３０２は、例えば、ＬＥＤ、有機ＥＬ、白熱灯、蛍光灯などの発光機器を有する。照明装置３００が液晶ディスプレイである場合、光源ユニット３０２は、例えば、光源と光源から放射された照明光を導光する導光板、或いは、照明光を拡散する拡散板を備えている。スペクトル調整ユニット３０３は、光源ユニット３０２から放射された照明光のスペクトル（波長特性）を変更する。通信インタフェース３０４は、情報処理装置１００との無線又は有線による通信に使用される。コントローラ３０１は、光源ユニット３０２及びスペクトル調整ユニット３０３の動作を制御することによって、照明光の明るさやスペクトルを変更する。
【００１７】
照明装置３００のスペクトル調整ユニット３０３は、透過又は反射する照明光の波長帯域を変更可能である。スペクトル調整ユニット３０３は、例えば、透過型或いは反射型の空間光変調素子と、特定の波長帯域の光を透過させるカラーフィルタを有する。空間光変調素子は、例えば、液晶パネルやＤＭＤ（Digital Mirror Device）である。スペクトル調整ユニット３０３は、複数種類のカラーフィルタを照明光の光路上に挿抜することによって、照明光のスペクトルを変更するものであってもよい。
【００１８】
光源ユニット３０２は、スペクトル調整ユニット３０３を兼ねていてもよい。例えば、光源ユニット３０２が、互いに発光波長が異なる複数の光源を有している場合、各光源の光強度を個別に制御することにより、照明光のスペクトルを変更可能である。
【００１９】
次に、利用者の色覚特性の測定方法の一例について説明する。色覚特性は、携帯端末機器２００を用いて測定される。図２は、本実施形態における色覚特性の測定方法のフローチャートを示す。図２のフローチャートに示される色調整方法は、ＣＰＵ２０１がプログラム２０４を実行することによって開始される。
【００２０】
処理ステップＳ１００では、主に利用者の青色の光に対する色覚特性が測定される。処理ステップＳ２００では、利用者の赤色と緑色の光に対する色覚特性が測定される。以下では、各処理ステップＳ１００、Ｓ２００について詳細に説明する。
【００２１】
（処理ステップＳ１００）
図３は、処理ステップＳ１００の詳細を示すフローチャートである。人の色覚には個人差があり、波長帯域によって光に対する感度にバラつきがある。特定の波長帯域（特に青色）の光に対する感度が高い症状は、光過敏症、或いは、アーレンシンドロームと呼ばれる。アーレンシンドロームは、青色の光に対するＳ錐体細胞の感度が異常に高いことが原因と考えられている。処理ステップＳ１００では、利用者の青色の光に対する色覚、及び、青色の光に対する色覚と青以外の色の光に対する色覚の比（或いは、差）が検査される。
【００２２】
（図３の処理ステップＳ１０１）
処理ステップＳ１０１では、２つの比較画像１０Ａ、１０Ｂがディスプレイ２０６に表示される。各比較画像１０Ａ、１０Ｂは互いに異なる色を有している。図４は、ディスプレイ２０６に表示される比較画像１０Ａ及び１０Ｂの一例を示す図である。この例では、矩形状の比較画像１０Ｂ内に、円形状の比較画像１０Ａが表示される。なお、比較画像１０Ａ、１０Ｂは、２つの画像を同時に視認できるように近接して表示されていればよく、その大きさや形状は、図４に示す例に限定されない。例えば、比較画像１０Ａは、矩形状の図形、或いは、数字やアルファベット等の文字であってもよい。或いは、比較画像１０Ａ、１０Ｂは何れも矩形状を有しており、並んで表示されていてもよい。
【００２３】
各比較画像１０Ａ、１０Ｂの色をＲＧＢ色空間における色成分（Ｒ、Ｇ、Ｂ）で表すと、比較画像１０Ａの色成分は（Ｒ１、０、Ｂ１）、比較画像１０Ｂの色成分は（０、Ｇ１、Ｂ１）である。すなわち、比較画像１０Ａと比較画像１０Ｂは、青色成分の大きさ（スペクトル強度）が同じである。また、比較画像１０Ａの赤色成分Ｒ１と、比較画像１０Ｂの緑色成分Ｇ１は、同じ大きさであることが望ましい。
【００２４】
また、各比較画像１０Ａ、１０Ｂの各色成分の大きさは、個別に変更可能である。例えば、各比較画像の各色成分が８ビット（２５６階調）のＲ画像信号、Ｇ画像信号、Ｂ画像信号で表されている場合、各比較画像の各色成分の大きさは０から２５５の間で変更可能である。
【００２５】
（図３の処理ステップＳ１０２）
処理ステップＳ１０２では、処理ステップＳ１０１で表示された比較画像１０Ａ、１０Ｂを用いて、利用者にとって最適な青色成分の大きさが検査される。詳しくは、利用者は、ディスプレイ２０６に表示されている比較画像１０Ａ、１０Ｂを見ながら、比較画像１０Ａの青色成分Ｂ１と比較画像１０Ｂの青色成分Ｂ１を、等しい大きさに維持したまま同時に変更する。この時、比較画像１０Ａの赤色成分Ｒ１及び比較画像１０Ｂの緑色成分Ｇ１は、例えば、設定可能な値の中央値（８ビットの場合、１２８付近）に固定されている。利用者は、青色成分Ｂ１を変更しながら、比較画像１０Ａと比較画像１０Ｂの色の違いを最も明瞭に認識（視認）可能な青色成分Ｂ１を決定する。この決定された青色成分Ｂ１は、測定値Ｂｍとしてストレージに記録される。
【００２６】
利用者の色覚の特性や、利用者による明瞭さの判断基準によっては、比較画像１０Ａと比較画像１０Ｂの色の違いを最も明瞭に認識できる条件（青色成分の測定値Ｂｍ）が複数存在する場合がある。この場合、例えば、利用者が最も明瞭であると認識した複数の青色成分Ｂ１の平均値或いは中央値を測定値Ｂｍとしてもよい。或いは、利用者が比較画像１０Ａと比較画像１０Ｂの色の違いを明瞭に識別できる複数の青色成分Ｂ１のうち、利用者の好み（色の好み、見易さ等）に基づき何れか一つの青色成分Ｂ１が測定値Ｂｍとして選択されてもよい。
【００２７】
利用者がアーレンシンドロームを有している場合、比較画像１０Ａ、１０Ｂの青色成分Ｂ１が大きいと、利用者は比較画像１０Ａ、１０Ｂを眩しいと感じて、比較画像１０Ａと比較画像１０Ｂの色の違いを識別し難くなる。この場合、測定値Ｂｍは、設定可能な青色成分の最大値Ｂｍａｘ（８ビットの場合、２５５）よりも小さい値となる。一方、利用者がアーレンシンドロームを有していない場合、比較画像１０Ａと比較画像１０Ｂの青色成分Ｂ１が大きくても、利用者は眩しいとは感じ難い。また、青色成分Ｂ１が大きくなると、利用者は、各比較画像を明るいと感じ、比較画像１０Ａと比較画像１０Ｂの色の違いを識別し易くなる場合もある。そのため、アーレンシンドロームを有していない利用者の測定値Ｂｍは、通常、アーレンシンドロームを有している利用者の測定値Ｂｍよりも大きくなる。
【００２８】
（図３の処理ステップＳ１０３）
処理ステップＳ１０３では、比較画像１０Ａ、１０Ｂを用いて、利用者にとって最適な青色成分と赤色成分及び緑色成分の比Ｆが検査される。詳しくは、利用者は、ディスプレイ２０６に表示されている比較画像１０Ａ、１０Ｂを見ている状態で、比較画像１０Ａの赤色成分Ｒ１の大きさと比較画像１０Ｂの緑色成分Ｇ１の大きさを、略同じ値を維持したまま同時に変更する。この時、比較画像１０Ａ及び比較画像１０Ｂの青色成分Ｂ１は、測定値Ｂｍに固定されている。なお、比較画像１０Ａの赤色成分Ｒ１の大きさと比較画像１０Ｂの緑色成分Ｇ１の大きさは、厳密に同じ値である必要はない。
【００２９】
処理ステップＳ１０３では、利用者が比較画像１０Ａと比較画像１０Ｂの色の違いを最も明瞭に識別できる比較画像１０Ａの赤色成分Ｒｃ及び比較画像１０Ｂの緑色成分Ｇｃが測定される。赤色成分Ｒｃ及び緑色成分Ｇｃが測定されると、測定値Ｉｄ及び比Ｆが、次の式１によって計算され、ストレージ２０５に記録される。
（式１）
Ｉｄ＝（Ｒｃ＋Ｇｃ）／２
Ｆ＝Ｉｄ／Ｂｍ
ここで、測定値Ｉｄは、赤色成分Ｒｃと緑色成分Ｇｃの平均値である。なお、本処理ステップＳ１０３において、赤色成分Ｒｃと緑色成分Ｇｃは略同じ値に維持されているため、赤色成分Ｒｃと緑色成分Ｇｃの何れか一方を測定値Ｉｄとしてもよい。比Ｆは、赤色成分Ｒｃ及び緑色成分Ｇｃと青色成分の測定値Ｂｍとの比である。
【００３０】
利用者がアーレンシンドロームを有している場合、利用者の赤色や緑色の光に対する感度は、通常、青色の光に対する感度に比べて低い。この場合、測定値Ｉｄは、測定値Ｂｍよりも大きくなり、比Ｆは１よりも大きくなる。
【００３１】
（処理ステップＳ２００）
次に、処理ステップＳ２００について詳細に説明する。図５は、処理ステップＳ２００の詳細を示すフローチャートである。処理ステップＳ２００では、利用者の赤色と緑色の光に対する色覚が検査される。
【００３２】
（図５の処理ステップＳ２０１）
処理ステップＳ２０１では、２つの検査画像２０Ａ、２０Ｂがディスプレイ２０６に表示される。図６は、ディスプレイ２０６に表示される検査画像２０Ａ及び２０Ｂの一例を示す図である。この例では、矩形状の検査画像２０Ｂ内に、円環状の検査画像２０Ａが表示される。なお、検査画像２０Ａ、２０Ｂは、２つの画像を同時に視認できるように近接して表示されていればよく、その大きさや形状は、図６に示す例に限定されない。例えば、検査画像２０Ａは、矩形状を有してもよく、或いは、数字やアルファベット等の文字を表してもよい。或いは、検査画像２０Ａ、２０Ｂは何れも矩形状を有しており、並んで表示されてもよい。
【００３３】
検査画像２０Ａの色成分は（Ｒｖ、Ｇ２、Ｂ２）、検査画像２０Ｂの色成分は（Ｒ２、Ｇ２、Ｂ２）である。すなわち、検査画像２０Ａと検査画像２０Ｂは、同じ大きさの緑色成分Ｇ２、及び、同じ大きさの青色成分Ｂ２を有している。また、赤色成分Ｒ２及び緑色成分Ｇ２は同じ大きさである。赤色成分Ｒ２及び緑色成分Ｇ２は、例えば、設定可能な値の中央値（８ビットの場合、１２８付近）、或いは、処理ステップＳ１０３で測定されたＲｃ及びＧｃである。また、青色成分Ｂ２は、処理ステップＳ１０２で測定された測定値Ｂｍ、或いは、ゼロである。なお、各色成分Ｒ２、Ｇ２、Ｂ２は、上記の値に限定されない。利用者が見やすいように上記の値から適宜変更されてもよい。
【００３４】
（図５の処理ステップＳ２０２）
処理ステップＳ２０２では、処理ステップＳ２０１で表示された検査画像２０Ａ、２０Ｂを用いて、利用者の赤色の光に対する色覚が検査される。詳しくは、利用者は、ディスプレイ２０６に表示されている検査画像２０Ａ、２０Ｂを見ている状態で、検査画像２０Ａの赤色成分Ｒｖの大きさを変更する。なお、検査画像２０Ａの赤色成分Ｒｖの初期値は、Ｒ２に設定されている。そのため、利用者が赤色成分Ｒｖの大きさを変える前は、検査画像２０Ａと検査画像２０Ｂは同一の色を有している。そして、利用者が検査画像２０Ａと検査画像２０Ｂの色の違いを識別可能となる検査画像２０Ａの赤色成分Ｒｖの大きさＲｓ１が測定される。このＲｓ１とＲ２に基づいて、差分ΔＲが、次の式２によって計算されてストレージ２０５に記録される。
（式２）
ΔＲ＝｜Ｒ２−Ｒｓ１｜
【００３５】
なお、処理ステップＳ２０２では、赤色成分Ｒｖは、初期値Ｒ２よりも大きくなるように変更されてもよく、初期値Ｒ２よりも小さくなるように変更されてもよい。また、差分ΔＲは、赤色成分Ｒｖが初期値Ｒ２よりも大きくなるように変更された場合と、赤色成分Ｒｖが初期値Ｒ２よりも小さくなるように変更された場合の両方において測定され、その平均値が差分ΔＲとして記録されてもよい。
【００３６】
更に、処理ステップＳ２０２では、赤色成分Ｒｖと共に、赤色成分Ｒ２及び緑色成分Ｇ２が等しい値を維持した状態で変更されてもよい。この場合、赤色成分Ｒ２（緑色成分Ｇ２）毎に、利用者が検査画像２０Ａと検査画像２０Ｂの色の違いを識別可能となる検査画像２０Ａの赤色成分Ｒｖの大きさＲｓ１が測定される。また、各赤色成分Ｒｓ１に対して、差分ΔＲが計算される。この複数の差分ΔＲの代表値（平均値、中央値又は最頻値）が、差分ΔＲとして記録されてもよい。
【００３７】
図７は、検査画像２０Ａの赤色成分Ｒｖと、検査画像２０Ｂの赤色成分Ｒ２が変更される範囲を示す図である。図７の横軸は検査画像２０Ａの赤色成分Ｒｖを表し、縦軸は検査画像２０Ｂの赤色成分Ｒ２を表す。なお、処理ステップＳ２０２では、赤色成分Ｒ２と検査画像２０Ａ及び検査画像２０Ｂの緑色成分Ｇ２は等しい値が維持されるため、図７の縦軸は、緑色成分Ｇ２をも表す。また、図７では、各色成分が８ビット（２５６階調）で表されている。
【００３８】
図７において、Ｒ２＝Ｒｖの直線上では、検査画像２０Ａと検査画像２０Ｂは何れも、色成分（Ｒ２、Ｇ２、Ｂ２）を有する。そのため、Ｒ２＝Ｒｖのとき、利用者は、その色覚特性に拘わらず、検査画像２０Ａと検査画像２０Ｂの色の違いを識別することはできない。
【００３９】
処理ステップＳ２０２において、検査画像２０Ａの赤色成分Ｒｖが変更されると、図７における座標は、Ｒ２＝Ｒｖの直線上から左右に（横軸に沿って）移動する。このとき、検査画像２０Ａの赤色成分は変化するが、検査画像２０Ｂは何れの色成分も変化しない。利用者が検査画像２０Ａと検査画像２０Ｂの色の違いを識別可能となったときの、赤色成分Ｒｖの変化量が差分ΔＲである。差分ΔＲは、図７に示すように、各赤色成分Ｒ２（緑色成分Ｇ２）に対して、Ｒ２＝Ｒｖの直線の左右それぞれに、差分ΔＲ１、ΔＲ２として測定される。この２つの差分ΔＲ１、ΔＲ２の何れか一方が差分ΔＲとして記録されてもよく、２つの差分ΔＲ１、ΔＲ２の平均値が差分ΔＲとして記録されてもよい。
【００４０】
また、処理ステップＳ２０２では赤色成分Ｒ２（及び緑色成分Ｇ２）も変更されてもよい。この場合、赤色成分Ｒ２毎に差分ΔＲ（Ｒ２）が測定される。ここで、差分ΔＲ（Ｒ２）は、例えば、Ｒ２＝Ｒｖの直線の左右に表れる差分ΔＲ１（Ｒ２）、ΔＲ２（Ｒ２）の平均値である。この場合、複数の差分ΔＲ（Ｒ２）の代表値が差分ΔＲとして記録される。
【００４１】
なお、処理ステップＳ２０２において、赤色成分Ｒｖ及び赤色成分Ｒ２（緑色成分Ｇ２）は、１階調毎に変更される必要はない。例えば、５階調毎や１０階調毎に変更されてもよい。また、赤色成分Ｒ２は、変更可能な全ての範囲（８ビットの場合、０から２５５の範囲）で変更される必要はない。例えば、赤色成分Ｒ２の値が小さくなると、検査画像２０Ａ及び検査画像２０Ｂが明度の低い画像となり、差分ΔＲを正確に測定できなくなる虞がある。そのため、赤色成分Ｒ２は、例えば、初期値（８ビットの場合、１２８付近、或いは、Ｒｃ）以上の範囲でのみ変更されてもよい。或いは、処理ステップＳ２０２において、赤色成分Ｒ２は、変更されずに、初期値のまま固定されていてもよい。
【００４２】
（図５の処理ステップＳ２０３）
処理ステップＳ２０３では、２つの検査画像２０Ｃ、２０Ｄがディスプレイ２０６に表示される。図８は、ディスプレイ２０６に表示される検査画像２０Ｃ及び２０Ｄの一例を示す図である。この例では、矩形状の検査画像２０Ｄ内に、円環状の検査画像２０Ｃが表示される。なお、検査画像２０Ｃ、２０Ｄは、２つの画像を同時に視認できるように近接して表示されていればよく、その大きさや形状は、図８に示す例に限定されない。例えば、検査画像２０Ｃは、矩形状を有してもよく、或いは、数字やアルファベット等の文字を表してもよい。或いは、検査画像２０Ｃ、２０Ｄは何れも矩形状を有しており、並んで表示されてもよい。
【００４３】
検査画像２０Ｃの色成分は（Ｒ２、Ｇｖ、Ｂ２）、検査画像２０Ｄの色成分は（Ｒ２、Ｇ２、Ｂ２）である。すなわち、検査画像２０Ｃと検査画像２０Ｄは、同じ大きさの赤色成分Ｒ２、及び、同じ大きさの青色成分Ｂ２を有している。また、赤色成分Ｒ２及び緑色成分Ｇ２は同じ大きさである。赤色成分Ｒ２及び緑色成分Ｇ２は、例えば、設定可能な値の中央値（８ビットの場合、１２８付近）、或いは、処理ステップＳ１０３で測定されたＲｃ及びＧｃである。また、青色成分Ｂ２は、処理ステップＳ１０２で測定された測定値Ｂｍ、或いは、ゼロである。なお、各色成分Ｒ２、Ｇ２、Ｂ２は、上記の値に限定されない。利用者が見やすいように上記の値から適宜変更されてもよい。
【００４４】
（図６の処理ステップＳ２０４）
処理ステップＳ２０４では、処理ステップＳ２０３で表示された検査画像２０Ｃ、２０Ｄを用いて、利用者の緑色の光に対する色覚が検査される。詳しくは、利用者は、ディスプレイ２０６に表示されている検査画像２０Ｃ、２０Ｄを見ている状態で、検査画像２０Ｃの緑色成分Ｇｖの大きさを変更する。なお、検査画像２０Ｃの緑色成分Ｇｖの初期値は、Ｇ２に設定されている。そのため、利用者が緑色成分Ｇｖの大きさを変える前は、検査画像２０Ｃと検査画像２０Ｄは同一の色を有している。そして、利用者が検査画像２０Ｃと検査画像２０Ｄの色の違いを識別可能となる検査画像２０Ｃの緑色成分Ｇｖの大きさＧｓ１が測定される。このＧｓ１とＧ２に基づいて、差分ΔＧが、次の式３によって計算されてストレージ２０５に記録される。
（式３）
ΔＧ＝｜Ｇ２−Ｇｓ１｜
【００４５】
なお、処理ステップＳ２０４では、緑色成分Ｇｖは、初期値Ｇ２よりも大きくなるように変更されてもよく、初期値Ｇ２よりも小さくなるように変更されてもよい。また、差分ΔＧは、緑色成分Ｇｖが初期値Ｇ２よりも大きくなるように変更された場合と、緑色成分Ｇｖが初期値Ｇ２よりも小さくなるように変更された場合の両方において計算され、その平均値が差分ΔＧとして記録されてもよい。
【００４６】
更に、処理ステップＳ２０４では、緑色成分Ｇｖと共に、赤色成分Ｒ２及び緑色成分Ｇ２が等しい値を維持した状態で変更されてもよい。この場合、緑色成分Ｇ２（赤色成分Ｒ２）毎に、利用者が検査画像２０Ｃと検査画像２０Ｄの色の違いを識別可能となる検査画像２０Ｃの緑色成分Ｇｖの大きさＧｓ１が測定される。また、各緑色成分Ｇｓ１に対して、差分ΔＧが計算される。この複数の差分ΔＧの代表値（平均値、中央値又は最頻値）が、差分ΔＧとして記録されてもよい。
【００４７】
図９は、検査画像２０Ｃの緑色成分Ｇｖと、検査画像２０Ｄの緑色成分Ｇ２が変更される範囲を示す図である。図９の縦軸は検査画像２０Ｃの緑色成分Ｇｖを表し、縦軸は検査画像２０Ｄの緑色成分Ｇ２を表す。なお、処理ステップＳ２０４では、緑色成分Ｇ２と検査画像２０Ｃ及び検査画像２０Ｄの赤色成分Ｒ２は等しい値が維持されるため、図９の横軸は、赤色成分Ｒ２をも表す。また、図９では、各色成分が８ビット（２５６階調）で表されている。
【００４８】
図９において、Ｇ２＝Ｇｖの直線上では、検査画像２０Ｃと検査画像２０Ｄは何れも、色成分（Ｒ２、Ｇ２、Ｂ２）を有する。そのため、Ｇ２＝Ｇｖのとき、利用者は、その色覚特性に拘わらず、検査画像２０Ｃと検査画像２０Ｄの色の違いを識別することはできない。
【００４９】
処理ステップＳ２０４において、検査画像２０Ｃの緑色成分Ｇｖが変更されると、図９における座標は、Ｇ２＝Ｇｖの直線上から上下に（縦軸に沿って）移動する。このとき、検査画像２０Ｃの緑色成分は変化するが、検査画像２０Ｄは何れの色成分も変化しない。利用者が検査画像２０Ｃと検査画像２０Ｄの色の違いを識別可能となったときの、緑色成分Ｇｖの変化量が差分ΔＧである。差分ΔＧは、図９に示すように、各緑色成分Ｇ２（赤色成分Ｒ２）に対して、Ｇ２＝Ｇｖの直線の上下それぞれに、差分ΔＧ１、ΔＧ２として測定される。この２つの差分ΔＧ１、ΔＧ２の何れか一方が差分ΔＧとして記録されてもよく、２つの差分ΔＧ１、ΔＧ２の平均値が差分ΔＧとして記録されてもよい。
【００５０】
また、処理ステップＳ２０４では緑色成分Ｇ２（及び赤色成分Ｒ２）も変更されてもよい。この場合、緑色成分Ｇ２毎に差分ΔＧ（Ｇ２）が測定される。ここで、差分ΔＧ（Ｇ２）は、例えば、Ｇ２＝Ｇｖの直線の上下に表れる差分ΔＧ１（Ｇ２）、ΔＧ２（Ｇ２）の平均値である。この場合、複数の差分ΔＧ（Ｇ２）の代表値が差分ΔＧとして記録される。
【００５１】
なお、処理ステップＳ２０４において、緑色成分Ｇｖ及び緑色成分Ｇ２（赤色成分Ｒ２）は、１階調毎に変更される必要はない。例えば、５階調毎や１０階調毎に変更されてもよい。また、緑色成分Ｇ２は、変更可能な全ての範囲（８ビットの場合、０から２５５の範囲）で変更される必要はない。例えば、緑色成分Ｇ２は、例えば、初期値（８ビットの場合、１２８付近、或いは、Ｇｃ）以上の範囲でのみ変更されてもよい。或いは、処理ステップＳ２０４において、緑色成分Ｇ２は、変更されずに、初期値のまま固定されていてもよい。
【００５２】
（図６の処理ステップＳ２０５）
処理ステップＳ２０５では、差分ΔＲ及び差分ΔＧに基づいて、測定値Ｒｍ、Ｇｍが計算される。詳しくは、測定値Ｒｍ及び測定値Ｇｍは、次の式４によって計算される。
（式４）
Ｒｍ＝ΔＲ／ｍａｘ（ΔＲ，ΔＧ）
Ｇｍ＝ΔＧ／ｍａｘ（ΔＲ，ΔＧ）
ここで、「ｍａｘ（ΔＲ，ΔＧ）」は、ΔＲとΔＧのうち、大きい方の値を意味する。計算された測定値Ｒｍ、Ｇｍは所定の記録領域に記録される。
【００５３】
処理ステップＳ２０２、Ｓ２０４で測定される差分ΔＲ及びΔＧはそれぞれ、利用者の赤色の光に対する感度及び緑色の光に対する感度に対応する。例えば、処理ステップＳ２０２では、検査画像２０Ａと２０Ｂが同じ色の状態（検査画像２０Ａの色成分が（Ｒ２、Ｇ２、Ｂ２）である状態）から、検査画像２０Ａの赤色成分のみが変更される。利用者の赤色の光に対する感度が比較的高い場合、検査画像２０Ａの赤色成分を大きく変更させなくても、検査画像２０Ａと検査画像２０Ｂの違いを識別することができる。これに対し、利用者の赤色の光に対する感度が比較的低い場合、利用者は検査画像２０Ａの赤色成分の変化を認識し難くい。そのため、検査画像２０Ａと検査画像２０Ｂの違いを識別可能となるまでに、検査画像２０Ａの赤色成分を大きく変更する必要がある。従って、差分ΔＲ（測定値Ｒｍ）は、利用者の赤色の光に対する感度が高いほど小さくなり、赤色の光に対する感度が低いほど大きくなる。
【００５４】
差分ΔＲ（測定値Ｒｍ）と同様に、差分ΔＧ（測定値Ｇｍ）は、利用者の緑色の光に対する感度が高いほど小さくなり、緑色の光に対する感度が低いほど大きくなる。そのため、差分ΔＲと差分ΔＧの比（測定値Ｒｍと測定値Ｇｍの比）は、利用者の赤色の光に対する感度と緑色の光に対する感度の比に対応する。
【００５５】
以上の測定方法により、利用者の赤色、緑色、青色の光に対する感度に対応する色覚特性（測定値Ｒｍ、測定値Ｇｍ、比Ｆ）が測定され、携帯端末装置２００のストレージ２０５に色覚情報として記録される。なお、上記の利用者の色覚特性の測定方法は、一例である。利用者の色覚特性は、他の装置又は他の方法によって測定され、携帯端末装置２００に記録されてもよい。また、携帯端末装置２００に記録される利用者の色覚特性は、測定値Ｒｍ、測定値Ｇｍ、比Ｆに限定されない。これらの色覚特性のうち、いずれか１つ以上が記録されてもよい。或いは、携帯端末装置２００に記録される色覚情報は、利用者の色覚特性を示すものであればよく、測定値Ｒｍ、測定値Ｇｍ、比Ｆ以外の情報であってもよい。
【００５６】
次に、本実施形態の照明光調整システム１による照明光の調整方法の一例について説明する。以下では、一例として、情報処理装置１００と照明装置３００が設置された室内に、携帯端末装置２００を有する利用者が入室した場合について説明する。
【００５７】
携帯端末装置２００を有する利用者が、情報処理装置１００及び照明装置３００が設置された室内に入ると、携帯端末装置２００と情報処理装置１００の間で通信が確立する。携帯端末装置２００と情報処理装置１００との間の通信は、例えば、無線ＬＡＮによる通信やＢｌｕｅｔｏｏｔｈ（登録商標）による通信である。携帯端末装置２００と情報処理装置１００の間で通信が確立すると、携帯端末装置２００は、ストレージ２０５に記録されている利用者の色覚特性を示す色覚情報（例えば、測定値Ｒｍ、測定値Ｇｍ、比Ｆ）を読み出す。読み出された色覚情報は、通信インタフェース２０８を介して情報処理装置１００に送信される。
【００５８】
情報処理装置１００のストレージ１０５には、照明光のスペクトルの調整に使用されるスペクトル情報が記録されている。スペクトル情報は、利用者の色覚特性に適した照明光のスペクトルを示している。スペクトル情報は、例えば、赤色、緑色、青色の各波長帯域における照明光の強度、或いは、各波長帯域の間の光強度の比又は差である。スペクトル情報は、例えば、様々な色覚特性と、各色覚特性に応じたスペクトル情報を含むテーブルであってもよい。或いは、情報処理装置１００は、携帯端末装置２００から受信した色覚情報に基づいてスペクトル情報を計算するための計算プログラムを有していてもよい。
【００５９】
情報処理装置１００は、携帯端末装置２００から受信した色覚情報に基づいて、利用者の色覚特性に適したスペクトル情報を特定する。特定されたスペクトル情報は、第２通信インタフェース１０７を介して照明装置３００に送信される。
【００６０】
照明装置３００のコントローラ３０１は、情報処理装置１００から受信したスペクトル情報に基づき、光源ユニット３０２及びスペクトル調整ユニット３０３を制御する。以下では、一例として、照明装置３００が、照明光に含まれる赤色、緑色、青色の光の輝度を個別に調整可能である場合について説明する。スペクトルを調整する前の照明光の赤色、緑色、青色の光の輝度がそれぞれＲｄ、Ｇｄ、Ｂｄであり、スペクトルの調整後の赤色、緑色、青色の光の輝度がそれぞれＲａ、Ｇａ、Ｂａとすると、輝度Ｒａ、Ｇａ、Ｂａが次の式５を満たすように照明光のスペクトルが調整される。
（式５）
Ｒａ＝Ｒｄ×Ｆ×Ｒｍ
Ｇａ＝Ｇｄ×Ｆ×Ｇｍ
Ｂａ＝Ｂｄ×Ｂｍ／Ｂｍａｘ
【００６１】
式５で表されるスペクトルの調整処理では、スペクトルの調整前の照明光の輝度Ｂｄに、青色成分の測定値Ｂｍと最大値Ｂｍａｘの比が乗ぜられる。例えば、利用者が青色の光に対して高い感度を有している場合（言い換えると、アーレンシンドロームを有している場合）、青色の光の輝度を、輝度Ｂｄから輝度Ｂａに変更することにより、青色の光の輝度が小さくなる。これにより、利用者が照明光に対して感じる眩しさを低減することができる。
【００６２】
また、式５で表されるスペクトルの調整処理では、スペクトルの調整前の照明光の輝度Ｒｄに、比Ｆと測定値Ｒｍが乗ぜられ、スペクトルの調整前の照明光の輝度Ｇｄに、比Ｆと測定値Ｇｍが乗ぜられる。比Ｆは、利用者の赤色及び緑色の光に対する感度と、青色の光に対する感度の比を表している。また、測定値Ｒｍと測定値Ｇｍはそれぞれ、利用者の赤色光に対する感度と緑色の光に対する感度を表している。そのため、このスペクトルの調整処理により、照明光の色が、利用者の赤色、緑色、青色の光に対する感度のバラつきに応じて補正される。
【００６３】
このように、本実施形態では、照明光のスペクトルが利用者の色覚特性に応じて調整されることにより、眩しいと感じることが無く、色を識別し易い照明光で照明された空間を利用者に提供可能となる。また、照明装置３００がテレビやパソコン、タブレット端末などの表示装置である場合、表示装置に、利用者が眩しいと感じることなく、色を識別し易い画面を表示させることができる。
【００６４】
また、本実施形態では、携帯端末装置２００と情報処理装置１００とを、通信が自動で確立するように予め設定しておくことにより、利用者が照明装置３００を操作することなく、照明光のスペクトルを利用者の色覚特性に適したスペクトルに調整可能となる。
【００６５】
また、本実施形態では、照明光のスペクトルは、予め測定された利用者の色覚特性に基づいて調整される。そのため、本実施形態では、利用者が手動で照明光のスペクトルを調整する場合に比べて、調整する毎に照明光のスペクトルが変化してしまうことが防止される。また、本実施形態に係る情報処理装置１００と照明装置３００が、複数の部屋のそれぞれに設置されている場合、各室内における照明光は、同じ色覚特性に基づいて調整される。そのため、複数の照明装置３００において、照明光のスペクトルを利用者の色覚特性に適した値に揃えることができる。
【００６６】
［第１実施形態の変形例１］
第１実施形態では、携帯端末装置２００に利用者の色覚情報が記録されているが、本発明の実施形態はこの構成に限定されない。例えば、利用者の色覚情報は、情報処理装置１００のストレージ１０５に、携帯端末装置２００の利用者を識別する利用者情報と共に記録されていてもよい。この場合、携帯端末装置２００から情報処理装置１００に利用者を識別する利用者情報が送信される。情報処理装置１００は、受信した利用者情報に基づいて、携帯端末装置２００の利用者を特定し、その利用者の色覚情報をストレージ１０５から抽出する。次いで、情報処理装置１００は、利用者の色覚情報に対応するスペクトル情報を特定して照明装置３００に送信する。この構成によれば、携帯端末装置２００に利用者の色覚情報を記憶しておく必要が無いため、例えば、利用者が、使用する携帯端末装置２００を変更した場合においても、利用者の色覚特性に適した照明環境３００を提供可能となる。
【００６７】
また、第１実施形態では、利用者の色覚特性に応じたスペクトル情報は、情報処理装置１００のストレージ１０５に記録されているが、本発明の実施形態はこの構成に限定されない。スペクトル情報は、携帯端末装置２００のストレージ２０５に記録されていてもよい。この場合、携帯端末装置２００から情報処理装置１００にスペクトル情報が送信される。情報処理装置１００は、情報処理装置１００から受信したスペクトル情報を照明装置３００に送信する。
【００６８】
［第１実施形態の変形例２］
携帯端末装置２００から情報処理装置１００に送信される情報は、利用者の色覚特性を示す色覚情報に限定されない。例えば、利用者が色盲や色弱を有しており、且つ、この色盲や色弱を矯正するメガネやコンタクトレンズを装着している場合、情報処理装置１００に対し、色覚情報と共に、メガネやコンタクトレンズの特性を示す情報が送信されてもよい。この場合、照明光のスペクトルは、スペクトル情報に加え、メガネやコンタクトレンズの特性も考慮して調整される。
【００６９】
本変形例によれば、利用者の色覚特性がメガネやコンタクトレンズによって矯正されているにもかかわらず、更に、照明光のスペクトルが調整されてしまうこと（言い換えると、照明光が過剰に調整されてしまうこと）が防止される。また、利用者が、色覚特性を矯正するメガネやコンタクトレンズを装着している場合、利用者の目に入る照明光の強さは、通常、メガネやコンタクトレンズを装着していない場合よりも小さくなる。この場合、利用者は、照明光の輝度が小さく、室内を暗いと感じる場合がある。そのため、利用者がメガネやコンタクトレンズを装着している場合は、輝度が大きくなるように照明光が調整されることにより、利用者の色覚特性が矯正されると共に、利用者が暗さを感じることを低減することができる。また、利用者が色盲や色弱を矯正するメガネを装着している場合は、照明光のスペクトルの調整が行われなくてもよい。
【００７０】
［第１実施形態の変形例３］
また、第１実施形態では、照明光調整システム１は１つの照明装置３００を備えているが、本発明の実施形態はこの構成に限定されない。例えば、照明光調整システムは、複数の照明装置を備えていてもよい。
【００７１】
図１０は、第１実施形態の変形例３に係る照明光調整システム１１の概略図を示す。本変形例の照明光調整システム１１は、情報処理装置１００、携帯端末装置２００及び２つの照明装置１３００、２３００を有している。照明装置１３００は、照明器具である。照明装置２３００は、情報処理端末２３１０及び情報処理端末２３１０に接続されたディスプレイ装置２３２０を有する。
【００７２】
情報処理装置１００、携帯端末装置２００及び照明装置１３００の構成は、第１実施形態の情報処理装置１００、携帯端末装置２００及び照明装置３００と同じである。本変形例では、照明装置１３００は、通信インタフェース３０４を介して照明装置２３００と通信可能である。
【００７３】
照明装置２３００の情報処理端末２３１０は、ＣＰＵ２３１１、ＲＡＭ２３１２、ＲＯＭ２３１３、プログラム２３１４、ストレージ２３１５、通信インタフェース２３１６、インタフェース２３１７を備えている。照明装置２３００のディスプレイ装置２３２０は、例えば、液晶ディスプレイである。ディスプレイ装置２３２０は、コントローラ２３２１、表示ユニット２３２２、インタフェース２３２３を備えている。表示ユニット２３２２は、光源ユニット２３２２ａ及びスペクトル調整ユニット２３２２ｂを有している。光源ユニット２３２２ａは、光源と光源から放射された照明光を導光する導光板とを含む。スペクトル調整ユニット２３２２ｂは、光源ユニット２３２２ａから放射された照明光を変調する空間光変調素子とカラーフィルタを含む。コントローラ２３２１は、パソコンからインタフェース２３２３を介して受信した映像信号に基づいて表示ユニット２３２２を制御し、表示ユニット２３２２に映像を表示させる。
【００７４】
本変形例では、照明装置１３００と照明装置２３００は、同じ室内に設置されている。携帯端末装置２００と情報処理装置１００との通信が確立し、利用者の色覚情報が携帯端末装置２００から情報処理装置１００に送信されると、情報処理装置１００は、受信した色覚情報に対応するスペクトル情報を照明装置２３００に送信する。照明装置２３００の情報処理端末２３１０は、スペクトル情報を受信すると、ディスプレイ装置２３２０が点灯しているか、又は、消灯しているかを判定する。
【００７５】
ディスプレイ装置２３２０が点灯していると判定された場合、情報処理端末２３１０は、ディスプレイ装置２３２０に送信する映像信号をスペクトル情報に基づいて調整する。ディスプレイ装置２３２０に表示される映像（画像）は、映像信号に基づいて表示される。この映像信号は、ディスプレイ装置２３２０の仕様に応じて、ＲＧＢ色空間における各色成分を表すＲＧＢ画像信号や、輝度信号Ｙ及び色差信号Ｃｂ、Ｃｒ等が使用される。何れの種類の画像信号も、マトリクス変換処理を行うことにより、ＲＧＢ画像信号に変換することができる。ディスプレイが点灯していると判定された場合、このＲＧＢ画像信号の調整が行われる。
【００７６】
スペクトルを調整する前のディスプレイのＲＧＢ画像信号のレベルをそれぞれＲｓ１、Ｇｓ１、Ｂｓ１とし、スペクトルを調整した後のＲＧＢ画像信号のレベルをそれぞれＲｓ２、Ｇｓ２、Ｂｓ２とすると、画像信号Ｒｓ２、Ｇｓ２、Ｂｓ２はそれぞれ、次の式６で表される。
（式６）
Ｒｓ２＝Ｒｓ１×Ｆ×Ｒｍ
Ｇｓ２＝Ｇｓ１×Ｆ×Ｇｍ
Ｂｓ２＝Ｂｓ１×Ｂｍ／Ｂｍａｘ
【００７７】
式６に従ってＲＧＢ画像信号のレベルを調整することにより、利用者が眩しいと感じることが無く、色を識別し易い映像をディスプレイ装置２３２０に表示させることができる。
【００７８】
なお、式６では、ＲＧＢ画像信号Ｒｓ１、Ｇｓ１、Ｂｓ１が調整されるが、本実施形態の画像信号の調整処理はこれに限定されない。例えば、式６をマトリクス変換することにより、ＲＧＢ画像信号ではなく、ＹＣｂＣｒ画像信号の調整を行ってもよい。
【００７９】
また、ディスプレイ装置２３２０が点灯していると判定された場合、情報処理端末２３１０は、照明装置１３００に対し、照明装置１３００が放射する照明光のスペクトルの調整が不要であることを示す信号を送信する。或いは、情報処理端末２３１０は、照明装置１３００に対して信号を送信しない。これにより、照明装置１３００では、照明光のスペクトルの調整が行われない。
【００８０】
他方、ディスプレイ装置２３２０が消灯していると判定された場合、情報処理端末２３１０は、照明装置１３００に対し、情報処理装置１００から受信したスペクトル情報を送信する。照明装置１３００は、受信したスペクトル情報に基づいて、照明光のスペクトルを調整する。
【００８１】
一つの室内にスペクトルを調整可能な照明装置が複数ある場合、全ての照明装置の照明光のスペクトルが色覚情報に応じて調整されると、照明光のスペクトルが過剰に調整された状態となる。例えば、照明装置２３００のディスプレイ装置２３２０に、照明装置１３００の照明光が照射されている場合、両方の照明装置１３００、２３００の照明光のスペクトルが調整されると、ディスプレイ装置２３２０に表示される映像が利用者の色覚特性に適さなくなってしまう可能性がある。
【００８２】
本変形例では、複数の照明装置のうちの一つについて、照明光のスペクトルが調整されている場合、他の照明装置の照明光のスペクトルは調整されない。そのため、照明光のスペクトルが過剰に調整されてしまうことが防止される。本変形例では、例えば、ディスプレイ装置２３２０の映像のスペクトルが調整されている場合は、照明装置１３００の照明光のスペクトルは調整されない。これにより、利用者は、ディスプレイ装置２３２０上において、自分の色覚特性に適したスペクトルを有する映像を見ることができる。また、ディスプレイ装置２３２０が消灯されている場合、照明装置１３００の照明光のスペクトルのみが調整される。これにより、照明装置１３００が設置された室内が、利用者の色覚特性に適した照明環境となる。
【００８３】
本変形例では、ディスプレイ装置２３２０が点灯している場合、情報処理端末２３１０が照明装置１３００に対し、スペクトルの調整が不要であることを示す情報が送信されるが、本発明の実施形態はこの構成に限定されない。複数の照明装置のうち、何れの照明装置の照明光のスペクトルを調整するかは、情報処理装置１００が各照明装置の動作状況に基づいて判断してもよい。例えば、情報処理装置１００が、情報処理端末２３１０と通信を確立し、ディスプレイ装置２３２０が点灯又は消灯していることを示す状態情報を受信した場合、情報処理装置１００は、状態情報に基づいて、何れの照明装置のスペクトルを調整するかを判断する。次いで、情報処理層装置１００は、各照明装置に対して、スペクトルの調整を指示する信号、又は、スペクトルの調整が不要であることを示す信号を送信する。
【００８４】
また、利用者が携帯端末装置２００に対し、複数の照明装置のうち、何れの照明装置のスペクトルを調整するかを示す照明装置情報を入力してもよい。この場合、携帯端末装置２００は、情報処理装置１００に対し、入力された照明装置情報を送信する。情報処理装置１００は、照明装置情報によって示される照明装置に対してのみ、スペクトル情報を送信する。
【００８５】
また、本変形例３では、複数の照明装置のうち何れか１つのみについて、照明光のスペクトルが調整されるが、本発明の実施形態はこれに限定されない。例えば、照明光調整システム１１は、複数の照明装置について照明光のスペクトルを調整し、スペクトルが調整された複数の照明光を重ね合わせることにより、利用者の色覚特性に適したスペクトルの照明光を生成してもよい。
【００８６】
［第２実施形態］
第１実施形態では、携帯端末装置２００から情報処理装置１００に対して、携帯端末装置２００の利用者の色覚情報又は利用者を識別する利用者情報が送信されるが、本発明の実施形態はこの構成に限定されない。
【００８７】
図１１は、本発明の第２実施形態にかかる照明光調整システム２１の概略図を示す。本実施形態の照明光調整システム２１は、情報処理装置１００、照明装置３００、撮影装置４００を備える。情報処理装置１００及び照明装置３００の構成は、第１実施形態の情報処理装置１００及び照明装置３００と同じであるため、詳細な説明は省略する。
【００８８】
撮影装置４００は、コントローラ４０１、撮影ユニット４０２、ストレージ４０３及び通信インタフェース４０４を備えている。撮影ユニット４０２は、コントーラ４０１によって制御され、利用者を撮影するために使用される。ストレージ４０３は、撮影ユニット４０２によって撮影された画像などの情報を保存する。通信インタフェース４０４は、情報処理装置１００との無線又は有線による通信に使用される。
【００８９】
撮影装置４００は、情報処理装置１００や照明装置３００が設置された室内、或いは、その部屋の入口に設置されており、部屋を利用する利用者の顔認識に用いられる利用者が撮影装置４００に自身の顔を撮影させると、撮影装置４００は、撮影した利用者の顔の画像を用いて利用者を特定する。例えば、撮影装置４００のストレージ４０３には、利用者の顔の特徴を示す顔情報が記録されている。撮影装置４００は、撮影された画像内から人の顔を抽出し、抽出した顔の特徴が記録している利用者の顔の特徴（顔情報）と一致しているかを判定する。抽出した顔の特徴と記録している顔情報とが一致していると判定された場合、撮影装置４００は、撮影された利用者が記録している顔情報に対応する利用者であると特定する。そして、撮影装置４００は、特定した利用者を識別する利用者情報を情報処理装置１００に送信する。
【００９０】
情報処理装置１００のストレージ１０５には、利用者の色覚情報が、利用者を識別する利用者情報と共に記録されている。情報処理装置１００は、撮影装置４００から利用者情報を受信すると、その利用者情報に基づいて撮影された利用者を特定し、その利用者の色覚情報をストレージ１０５から抽出する。次いで、情報処理装置１００は、利用者の色覚情報に対応するスペクトル情報を特定して照明装置３００に送信する。なお、情報処理装置１００は、色覚情報は用いず、受信した利用者情報に基づいて、当該利用者の色覚特性に応じたスペクトル情報を特定してもよい。
【００９１】
照明装置３００のコントローラ３０１は、情報処理装置１００から受信したスペクトル情報に基づき、光源ユニット３０２及びスペクトル調整ユニット３０３を制御する。これにより、照明光のスペクトルが利用者の色覚特性に応じて調整される。
【００９２】
本実施形態によれば、撮影装置４００によって利用者が特定され、特定された利用者の色覚特性に応じて照明光のスペクトルが調整される。そのため、利用者は、自身を識別する利用者情報や自身の色覚情報を記録する携帯端末装置を有している必要が無い。
【００９３】
［第２実施形態の変形例１］
第２実施形態では、撮影装置４００によって撮影された画像を用いて利用者が特定されるが、本発明の実施形態はこの構成に限定されない。例えば、撮影装置４００を用いて撮影された画像に基づいて、利用者と共に、その利用者が色覚特性を矯正するメガネを装着しているか否かが特定されてもよい。この場合、利用者の色覚特性及びメガネの特性に応じて、照明光のスペクトルや輝度が調整される。
【００９４】
［第２実施形態の変形例２］
第２実施形態では、撮影装置４００を用いて利用者が特定されるが、本発明の実施形態はこの構成に限定されない。例えば、情報処理装置１００は、利用者による情報の入力を受け付けるユーザインタフェースを有していてもよい。この場合、情報処理装置１００のストレージ１０５には、利用者を識別する識別情報が記録されている。情報処理装置１００は、ユーザインタフェースを介して受け付けた情報を、ストレージ１０５に記録されている識別情報と比較することによって、利用者を特定する。
【００９５】
また、情報処理装置１００は、利用者の声や指紋等の生体情報を検出する装置を用いて利用者を特定してもよい。この場合、情報処理装置１００のストレージ１０５には、利用者の生体情報を示す情報が記録されている。また、情報処理装置１００は、撮影装置４００の代わりに、利用者の生体情報を検出する検出装置を備えている。情報処理装置１００は、検出装置によって検出された生体情報を、ストレージ１０５に記録されている生体情報と比較することによって利用者を特定する。
【００９６】
［第３実施形態］
第１及び第２実施形態では、情報処理装置１００から照明装置３００に対して、スペクトル情報が送信されるが、本発明の実施形態はこの構成に限定されない。スペクトル情報は、携帯端末装置２００から、情報処理装置１００を介さずに照明装置３００に送信されてもよい。
【００９７】
図１２は、本発明の第３実施形態にかかる照明光調整システム３１の概略図を示す。本実施形態の照明光調整システムの構成は、情報処理装置１００を備えていないこと以外は第１実施形態と同じである。携帯端末装置２００と照明装置３００は、通信インタフェース２０８及び通信インタフェース３０４を介して互いに通信可能である。
【００９８】
本実施形態では、携帯端末装置２００のストレージ２０５に、利用者の色覚特性に応じたスペクトル情報が記憶されている。携帯端末装置２００を有する利用者が、照明装置３００が設置された室内に入室すると、携帯端末装置２００と照明装置３００との間の通信が確立する。携帯端末装置２００と照明装置３００の間で通信が確立すると、携帯端末装置２００は、ストレージ２０５に記録されている利用者の色覚特性に対応するスペクトル情報を読み出す。読み出されたスペクトル情報は、照明装置３００に送信される。
【００９９】
照明装置３００のコントローラ３０１は、携帯端末装置２００から受信したスペクトル情報に基づき、光源ユニット３０２及びスペクトル調整ユニット３０３を制御する。
【０１００】
本実施形態によれば、スペクトル情報が、携帯端末装置２００から照明装置３００へ、情報処理装置を介さずに送信される。そのため、室内に情報処理装置を設置する必要がなくなり、照明光調整システム３１の簡素化及び低コスト化が可能となる。
【０１０１】
なお、本実施形態において、携帯端末装置２００から照明装置３００に送信される情報は、スペクトル情報ではなく、利用者の色覚情報であってもよい。この場合、照明装置３００は、受信した色覚情報に基づいて、照明光のスペクトルをどのように調整するかを決定する。
【０１０２】
［第４実施形態］
上述の実施形態では、照明装置が、照明器具やディスプレイなどの、照明光の光源を有する装置である場合について説明したが、本発明の実施形態はこの構成に限定されない。例えば、照明装置は、光源を有しておらず、透過する照明光のスペクトルを変更可能なものであってもよい。
【０１０３】
図１３は、本発明の第４実施形態に係る照明光調整システム４１を示す。本実施形態の照明光調整システム４１は、携帯端末装置２００と照明装置３３００を備える。携帯端末装置２００の構成は上述の実施形態と同じであるため、詳細な説明は省略する。
【０１０４】
照明装置３３００は、コントローラ３３０１、可変フィルタユニット３３０２及び通信インタフェース３３０３を備える。可変フィルタユニット３３０２は、透過する照明光のスペクトルを変更可能である。コントローラ３３０１は、可変フィルタユニット３３０２の動作を制御する。通信インタフェース３３０３は、携帯端末装置２００との有線又は無線による通信に使用される。本実施形態の照明装置３３００は、光源を有しておらず、外部から入射された光のスペクトルを調整する。
【０１０５】
図１４（ａ）は照明装置３３００の外観図を示し、図１４（ｂ）は可変フィルタユニット３３０２の構造を説明するための概略図である。照明装置３３００は、メガネやヘッドマウントディスプテイのような形状を有している。コントローラ３３０１や通信インタフェース３３０３は、メガネのアーム（テンプル、ツル）部分に内蔵されている。照明装置３３００は、可変フィルタユニット３３０２が利用者の目を覆うように、利用者の顔に装着される。可変フィルタユニット３３０２は、複数の画素３０に分割されており、各画素３０が、偏光子３１、液晶パネル３２、カラーフィルタ３３及び検光子３４を有している。また、画素３０毎に、液晶パネル３２及びカラーフィルタ３３が３つに分割されている。３つに分割されたカラーフィルタ３３Ｒ、３３Ｇ、３３Ｂはそれぞれ、赤色、緑色、青色のみを透過させるカラーフィルタである。また、各カラーフィルタに対応する位置に、分割された液晶パネル３２Ｒ、３２Ｇ、３２Ｂが配置されている。
【０１０６】
外部から照明装置３３００に入射した照明光は、偏光子３１により特定の偏光方向を有する偏光光となって液晶パネル３２に入射する。液晶パネル３２は、分割された領域毎に個別に駆動電圧を印加可能である。液晶パネル３２は、例えば、ＴＮ配向の液晶層を有しており、駆動電圧が印加されていない状態では、透過する光の偏光方向を９０度回転させる。また、液晶パネル３２は、駆動電圧が印加されている状態では、透過する光の偏光方向を回転させない。液晶パネル３２を透過した照明光は、検光子３４に入射され、特定の偏光方向の照明光のみが検光子を透過する。照明装置３３００は、各画素３０液晶パネル３２に印加する電圧を制御することにより、各カラーフィルタ３３を透過した光の偏光方向を回転させるか否かを切り替えることができる。これにより、検光子３４を透過する光のスペクトルを変更可能である。
【０１０７】
本実施形態では、携帯端末装置２００のストレージ２０５に、利用者の色覚特性に応じたスペクトル情報が記憶されている。携帯端末装置２００と照明装置３３００との間の通信が確立すると、携帯端末装置２００は、ストレージ２０５に記録されている利用者の色覚特性に対応するスペクトル情報を読み出す。読み出されたスペクトル情報は、照明装置３３００に送信される。
【０１０８】
照明装置３３００のコントローラは、携帯端末装置２００から受信したスペクトル情報に基づき、可変フィルタユニット３３０２を制御する。これにより、照明装置３３００を透過する外光（照明光）は、利用者の色覚特性に適したスペクトルに調整される。
【０１０９】
本実施形態によれば、照明装置３３００が照明光の光源を有していない場合であっても、外光のスペクトルを調整することにより、利用者の色覚特性に適した照明環境を提供可能となる。
【０１１０】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本発明の実施形態に含まれる。
【図１】
2019244431.tif 000003
【図２】
2019244431.tif 000004
【図３】
2019244431.tif 000005
【図４】
2019244431.tif 000006
【図５】
2019244431.tif 000007
【図６】
2019244431.tif 000008
【図７】
2019244431.tif 000009
【図８】
2019244431.tif 000010
【図９】
2019244431.tif 000011
【図１０】
2019244431.tif 000012
【図１１】
2019244431.tif 000013
【図１２】
2019244431.tif 000014
【図１３】
2019244431.tif 000015
【図１４】
2019244431.tif 000016
【国際調査報告】
2019244431.tif 000017
2019244431.tif 000018
2019244431.tif 000019